(57)【特許請求の範囲】
【請求項１】
原稿の自動搬送機構を有するフラットベッド型のスキャナを備えた原稿読み取り装置であって、
前記スキャナは、
原稿を読み取るための密着型イメージセンサと、
当該密着型イメージセンサを移動させる駆動モータと、
前記自動搬送機構により原稿が搬送された場合に、当該原稿を下側から読み取る前記密着型イメージセンサが発した光を透過する第１のガラスと、
当該第１のガラスと独立し、原稿が前記フラットベッド上に平らな状態で載置された場合に、前記原稿をその下側から読み取る前記密着型イメージセンサが発した光を透過する第２のガラスと、
水平面と鉛直面を有し、前記第１のガラスと前記第２のガラスの側縁を当該鉛直面にて囲むことなく、前記第１のガラスと前記第２のガラスの下側面と当該水平面にて当接するガイドレールとを備え、
前記密着型イメージセンサは、前記ガイドレールに案内されつつ前記駆動モータによって移動することを特徴とする原稿読み取り装置。
【請求項２】
前記ガイドレールは、前記第１及び第２のガラスに固定されていることを特徴とする請求項１に記載の原稿読み取り装置。
【請求項３】
前記ガイドレールの表面は、前記密着型イメージセンサとの摩擦抵抗が少ない膜で覆われていることを特徴とする請求項１又は２に記載の原稿読み取り装置。
【請求項４】
前記密着型イメージセンサと前記駆動モータとの間には、前記密着型イメージセンサを下方から支持するベース部材が設けられ、当該ベース部材と前記密着型イメージセンサ間に、前記密着型イメージセンサを前記ガイドレールに対し上方に付勢する付勢部材が設けられていることを特徴とする請求項１乃至３の何れかに記載の原稿読み取り装置。
【発明の詳細な説明】
【０００１】
【発明の属する技術分野】
本発明は、原稿読み取り装置に関し、詳しくは、スキャナのフラットベッド部に独立して設けられた複数の原稿ガラスをガイド部材によって連結した原稿読み取り装置に関する。
【０００２】
【従来の技術】
従来、紙等の記録媒体に記録を行う印刷装置としてのプリンタ機能、原稿を読み取るスキャナ機能及びファクス機能等を備えた複合機が知られている。例えば、上部にフラットベッドタイプのスキャナ部を、下部にインクジェット記録方式のプリンタ部をそれぞれ備え、スキャナ部が自動給紙装置を備えている複合機においては、スキャナ部に、自動給紙装置によって供給された原稿の文字面（読取側の面）が当接する第１のガラスと、この第１のガラスから独立して、平坦な状態で原稿が載置される第２のガラスとが設けられている。各原稿ガラスは、当該原稿ガラスの裏面に密接して、裏側から原稿の文字面を読み取る密着型イメージセンサ等の原稿読み取りセンサが発する光を透過し、原稿読み取りセンサは、駆動モータ等によって走査されるようになっている。
【０００３】
【発明が解決しようとする課題】
しかしながら、上記のような従来技術では、原稿読み取り装置で読み取る原稿の供給方法が変化した際には、第１のガラスと第２のガラス間を読み取り装置が移動することになるが、両ガラス間には自動給紙装置によって第１のガラス面に供給された用紙原稿をガラス面から離れるように案内するためのガイド部材が必要なために、それら両ガラスの中間には高さ方向で段差が形成されるので、両ガラス間を一定の高さを保った状態で読み取り装置を移動するのが難しい、即ち、読み取り装置を、ガラスの裏面に常に密接させた状態で移動するのが難しいという問題点があった。
【０００４】
本発明は、上記課題を解決するためになされたものであり、自動搬送機構により搬送された原稿が通過する第１のガラスと、原稿が水平（平坦な状態）に載置される第２のガラスとの間を密着型イメージセンサがスムーズに移動することが可能な原稿読み取り装置を提供することを目的とする。
【０００５】
【課題を解決するための手段】
上記目的を達成するための請求項１に係る発明の原稿読み取り装置は、原稿の自動搬送機構を有するフラットベッド型のスキャナを備えたものであって、前記スキャナは、原稿を読み取るための密着型イメージセンサと、当該密着型イメージセンサを移動させる駆動モータと、前記自動搬送機構により原稿が搬送された場合に、当該原稿を下側から読み取る前記密着型イメージセンサが発した光を透過する第１のガラスと、当該第１のガラスと独立し、原稿が前記フラットベッド上に平らな状態で載置された場合に、前記原稿をその下側から読み取る前記密着型イメージセンサが発した光を透過する第２のガラスと、水平面と鉛直面を有し、前記第１のガラスと前記第２のガラスの側縁を当該鉛直面にて囲むことなく、前記第１のガラスと前記第２のガラスの下側面と当該水平面にて当接するガイドレールとを備え、前記密着型イメージセンサは、前記ガイドレールに案内されつつ前記駆動モータによって移動することを特徴とする。
【０００６】
この構成の原稿読み取り装置では、水平面と鉛直面を有し、前記第１のガラスと前記第２のガラスの側縁を当該鉛直面にて囲むことなく、前記第１のガラスと前記第２のガラスの下側面と当該水平面にて当接するガイドレールを備えており、密着型イメージセンサが、当該ガイドレールに案内されつつ駆動モータによって移動するので、原稿の供給方法が変化した際に、密着型イメージセンサを第１のガラスと第２のガラスとの間において、スムーズに移動させることができることはもとより、第１のガラスと密着型イメージセンサ間の距離及び第２のガラスと密着型イメージセンサ間の距離を常に一定に保つことができ、第２のガラスに載置された原稿又は自動搬送機構により第１のガラス面上を搬送された原稿を正確に読み取ることができる。
【０００７】
また、請求項２に係る発明の原稿読み取り装置では、請求項１に記載の原稿読み取り装置の構成に加えて、前記ガイドレールは、前記第１及び第２のガラスに固定されていることを特徴とする。
【０００８】
この構成の原稿読み取り装置では、請求項１に記載の発明の作用に加えて、ガイドレールは、第１及び第２のガラスに固定されているので、ガイドレールと第１及び第２のガラスとのがたつきが防止された状態で、第１のガラスと密着型イメージセンサ間の距離及び第２のガラスと密着型イメージセンサ間の距離を常に一定に保つことができるので、密着型イメージセンサをスムーズに移動させることができると共に、第２のガラスに載置された原稿又は自動搬送機構により第１のガラス面上を搬送された原稿をより正確に読み取ることができる。
【０００９】
また、請求項３に係る発明の原稿読み取り装置では、請求項１又は２に記載の原稿読み取り装置の構成に加えて、前記ガイドレールの表面は、前記密着型イメージセンサとの摩擦抵抗が少ない膜で覆われていることを特徴とする。
【００１０】
この構成の原稿読み取り装置では、請求項１又は２に記載の発明の作用に加えて、ガイドレールの表面は、密着型イメージセンサとの摩擦抵抗が少ない膜で覆われているので、密着型イメージセンサが、ガイドレールに案内されて駆動モータによって滑らかに移動することができる。
【００１１】
また、請求項４に係る発明の原稿読み取り装置では、請求項１乃至３の何れかに記載の原稿読み取り装置の構成に加えて、前記密着型イメージセンサと前記駆動モータとの間には、前記密着型イメージセンサを下方から支持するベース部材が設けられ、当該ベース部材と前記密着型イメージセンサ間に、前記密着型イメージセンサを前記ガイドレールに対し上方に付勢する付勢部材が設けられていることを特徴とする。
【００１２】
この構成の原稿読み取り装置では、請求項１乃至３の何れかに記載の発明の作用に加えて、密着型イメージセンサと駆動モータとの間には、密着型イメージセンサを下方から支持するベース部材が設けられ、ベース部材と密着型イメージセンサ間に、密着型イメージセンサをガイドレールに対し上方に付勢する付勢部材が設けられていることにより、密着型イメージセンサがガラスに押しつけられる方向に付勢されるので、密着型イメージセンサをガラスに対して好適な位置に保つことができる。
【００１３】
【発明の実施の形態】
以下、本発明を具体化した一実施の形態について図面に沿って説明する。尚、本実施の形態では、インクジェット記録方式のプリンタとスキャナ機能とファクス機能とを備えた複合機を例に挙げて説明する。ここで、図１は、複合機１の斜視図である。図１に示すように、複合機１は、フラットベッド読取部３５を備えたフラットベッドタイプのスキャナ（スキャナ部）３０と、当該スキャナ３０の直下に位置するインクジェットプリンタ（プリンタ部）３とを備えており、略直方体形状を有している。詳細には、複合機１は、図１での横方向が奥行き方向に対してやや長い辺を持つ略長方形を、上下方向に前記辺よりも短い所定量だけ引き延ばして形成された略直方体形状となっている。また、複合機１の背面側（図１での奥行き側）には、インクジェットプリンタ３内に搬送される記録媒体としての紙（図示外）を供給するための給紙トレイ４が上方に開口して設けられている。
【００１４】
複合機１の上側に位置するスキャナ３０は、平面視略長方形で、上下方向に所定厚さを有した略直方体のフラットベッド読取部３５を備えている。また、図３に示すように、スキャナ３０は、原稿の文字面（読取側の面）が当接する原稿ガラス３６、当該原稿ガラス３６に上方から覆設され、軸５５を中心に回動可能（開閉可能）なカバー３７、原稿ガラス３６を挟んで前記原稿が載置される面と反対側に設けられた原稿読取装置である密着型イメージセンサ４５及び密着型イメージセンサ４５を走査する駆動モータ３８等を備えている。また、スキャナ３０のフラットベッド読取部３５は、自身の背面側（図３での右側）側縁に一対の軸受け部（図示外）を備えており、この軸受け部が、後述するインクジェットプリンタ３のカバー部材２０に設けられた一対のヒンジ２２，２２（図２参照）に嵌合することで、フラットベッド読取部３５がインクジェットプリンタ３に対して回動可能となる。
【００１５】
スキャナ３０の直下に位置するインクジェットプリンタ３は、図１及び図２に示すように、後述する各基板やヘッド（図示外）、プラテン、キャリッジ、搬送ローラ等の各機構等からなるプリンタエンジン１４等が配設される基材１０と、基材１０に上方から覆設されて、インクジェットプリンタ３を構成する各基板やプリンタエンジン１４等を覆うカバー部材２０とを備えている。また、基材１０の複合機１の前面側（図１及び図２での手前側）には、記録媒体である紙（図示外）に印字を行うためのインクを貯留した４つのインクカートリッジ１８（図５参照）が載置されるようになっている。これら４つのインクカートリッジ１８は、その上方に設けられた不動状態の第１のカバー２６ａと、当該第１のカバー２６ａ先端の側縁に設けられた回動軸２３（図３参照）を中心として回動可能な第２のカバー２６ｂとからなるカバー２６によって全体的に覆われた状態となっている。尚、インクジェットプリンタ３では、図１及び図２での奥行き側が紙の搬送方向上流側、手前側が下流側とそれぞれなっている。
【００１６】
インクジェットプリンタ３の背面側（図１及び図２の奥行き側）には、記録媒体である紙（図示外）が供給される給紙トレイ４が設けられている。給紙トレイ４は、上方に開口した開口部４ａを備えており、斜め方向に用紙（紙）を保持する。また、給紙トレイ４は、記録媒体である紙をインクジェットプリンタ３内に送るための給紙ローラ６５（図３参照）等を備えている。カバー部材２０は、前面側が切り欠き２１によって切り欠かれた略凹の字を上下方向に引き延ばした形状を有し、切り欠き２１周縁部に形成された３つの壁部の内、その背面側に位置する底部には、記録媒体である紙が排出される排出部５が形成されている。排出部５の紙の搬送方向下流側からは、図５に示すインクカートリッジ１８を覆ったカバー２６が前記下流側にさらに延出しており、カバー２６の左右方向側縁が、それぞれ切り欠き２１周縁部の図２での左側に位置する左側壁２１ａ及び右側に位置する右側壁（図示外）に密接した状態となっている。
【００１７】
また、カバー部材２０のインクジェットプリンタ３の背面側縁には、スキャナ３０に設けられた図示外の軸受け部が嵌合するヒンジ２２が左右方向で一対となって設けられている。ヒンジ２２は、カバー部材２０のインクジェットプリンタ３の背面側縁で、カバー部  材２０の表面２０ａから表面２０ａに対して略垂直方向に突出した左右一対の鉛直部２２ａと、当該鉛直部２２ａ間に渡設された水平部２２ｂとから構成されており、下方に開口した略コの字型形状を有している。
【００１８】
さらに、図１及び図２には図示しないが、排出部５の紙（図示外）の搬送方向下流側には、排出された図示外の紙を外部へ案内する排紙トレイ６（図３参照）が設けられている。排紙トレイ６は、インクジェットプリンタ３のカバー部材２０の切り欠き２１周縁部に形成された左側壁２１ａ及び右側壁（図示外）とそれぞれ僅かな隙を空けて取り付けられている。図３に示すように、排紙トレイ６は、インクカートリッジ１８の上方に設けられており、その紙の搬送方向下流側（図３での左側）端部が上方に向かって傾斜している。また、インクジェットプリンタ３の給紙トレイ４と排紙トレイ６間において、図３に２点鎖線で示す紙の搬送経路７５と一部重なる位置には、図示外のインクジェットヘッド、プラテン及びインクジェットヘッドを装着したキャリッジ等の各機構等からなるプリンタエンジン１４が設けられており、プリンタエンジン１４には、自身内部に設けられたキャリッジを駆動するためのキャリッジモータ６０が設けられている。さらに、プリンタエンジン１４の下方には、インクカートリッジ１８からプリンタエンジン１４内のインクジェットヘッドに供給されたインクの廃液、例えば、パージ動作によってヘッドから吸引されたインクや、フラッシングによってヘッドから吐出されたインクの廃液を吸収する廃液吸収部材１５が設けられている。
【００１９】
また、インクジェットプリンタ３の基材１０には、図５に示すように、インクカートリッジ１８と、複合機１（図１参照）の動作を制御する主基板１１と、ファクス機能のための電話回線との接続を制御するネットワークコントロールユニット（以下、「ＮＣＵ」と言う。）基板１２と、電源基板１３と、図示外のインクジェットヘッド、プラテン及びインクジェットヘッドを装着したキャリッジ等の各機構等からなるプリンタエンジン１４と、インクカートリッジ１８から供給されたプリンタエンジン１４内のインクの廃液を吸収する廃液吸収部材１５とが配設されている。プリンタエンジン１４以外の何れの部材も、高さ方向で重ならないよう、即ち、インクジェットプリンタ３を上方から見た図５において、何れの部材も重ならないように配設されている。
【００２０】
詳細には、インクジェットプリンタ３の前面側（図５の下側）から挿着された４つのインクカートリッジ１８に対して、そのインクジェットプリンタ３の背面側（図５の上側）直ぐの位置に、主基板１１と廃液吸収部材１５とが、図５での左側と右側とにそれぞれ配設されている。主基板１１は、そこからインクジェットプリンタ３の背面近傍まで延びた略長方形形状となっており、廃液吸収部材１５は、インクジェットプリンタ３の背面側に向かって、主基板１１の略半分の長さだけ延びた略長方形形状となっている。廃液吸収部材１５の直ぐ後には、主基板１１と隣接したＮＣＵ基板１２と、当該ＮＣＵ基板１２を挟んで主基板１１の反対側に位置する電源基板１３とが配設されている。また、図４及び図５に示すように、プリンタエンジン１４の直ぐ後側であって、主基板１１の上方に相当する位置には、給紙トレイ４内の紙をインクジェットプリンタ３内に供給すると共に、図４に２点差線で示す搬送経路７５に沿って紙を搬送し、その後、排出部５から排紙トレイ６上に排出するための給紙モータ（紙送りモータ）６１が設けられている。尚、給紙モータ６１には、高速で駆動が可能で、騒音、ノイズ発生の少ないモータが用いられている。
【００２１】
プリンタエンジン１４は、主基板１１の一部と廃液吸収部材１５の全体とをそれらの上方でほぼ覆うような状態で設けられている。プリンタエンジン１４内のインクジェットヘッド（図示外）には、４つのインクカートリッジ１８に個別につながれた図示外のチューブが連結されており、当該チューブを介してインクがヘッドに供給されることになる。そして、ヘッドに供給されたインクは、ヘッドのノズル面から記録媒体に向かって吐出される。
【００２２】
図５及び６に示すように、インクカートリッジ１８は、それぞれ複合機１の前面側から背面側に向かって挿入され、その挿入方向（図６の奥行き方向）に長尺で厚さの薄い略直方体形状を有している。そして、各インクカートリッジに対応して、イエロー、マゼンタ、シアン及びブラックの４色のインクの何れかがそれぞれ充填されている。インクカートリッジ１８は、略同一高さの位置で水平方向に４つ並んでおり、複合機１の前面側（図６の手前側）へ取り出し可能となっている。そして、図３に示すように、インクカートリッジ１８は、その複合機１の背面側（図３での右側）に位置する側面１８ａがインクジェットプリンタ３側から突出した針２８に貫通されることによって、内部のインクが、針２８から連続した図示外のチューブを通ってインクジェットヘッド（図示外）に送られるようになっている。
【００２３】
次に、図３乃至図６を参照して、スキャナ３０の構造について説明する。ここで、図３は、複合機１を正面視に対して右側から見た側面図であり、図４は、左側から見た側面図であり、図５は、複合機１における各構成部材の配置関係を模式的に示した平面図であり、図６は、複合機１の正面図である。図３及び図４に示すように、スキャナ３０は、図示外の軸受け部によってインクジェットプリンタ３に対して回動可能となったフラットベッド読取部３５を備えており、フラットベッド３５読取部には、原稿の文字面（読取側の面）が当接する原稿ガラス３６が設けられている。原稿ガラス３６は、その上部に回動可能に設けられたカバー３７に覆われており、原稿ガラス３６の直下には、原稿ガラス３６に当接した原稿の文字面を読み取る密着型イメージセンサ４５が設けられている。
【００２４】
また、図示しないが、スキャナ３０は、自動給紙装置を備えており、原稿ガラス３６は、図５及び図６に示すように、自動給紙装置で供給された原稿の文字面が当接する小さな第１のガラス３６ａと、平坦な状態の原稿の文字面が当接する大きな第２のガラス３６ｂとから構成されている。第１のガラス３６ａは、図５の左右方向に短辺を、上下方向に長辺をそれぞれ有し、第２のガラス３６ｂは、第１のガラス３６ａの左側で、図５の左右方向に長辺を、上下方向に短辺をそれぞれ有しており、何れのガラスも略同一の板厚を有している。そして、第１のガラス３６ａと第２のガラス３６ｂとは、紙の搬送方向（図５の上下方向）に対して直交する方向に分離して並んでおり、その並列方向に延びた一対のガイドレール５０によって裏面側が連結された状態となっている。
【００２５】
ガイドレール５０は、長さ方向に直交する断面が略Ｌ字型となっており、垂直に交わった鉛直面５０ａと水平面５０ｂとを有している。ガイドレール５０は、第１のガラス３６ａの一対の短辺側縁及び第２のガラス３６ｂの一対の長辺側縁に沿って、第１のガラス３６ａ及び第２のガラス３６ｂの下側面（図示外）に当接した状態で各ガラスに接着剤等で接着固定されている。ここで、ガイドレール５０は、自らの水平面４６ｂを各ガラスに当接させ、水平面４６ｂの側縁から鉛直面４６ａが下方に突出した状態となっている。即ち、ガイドレール５０の鉛直面５０ａによってガラス３６の一対の側縁が囲まれてはおらず、その状態で第１のガラス３６ａと第２のガラス３６ｂとは、互いにその下側面の高さ、即ち密着型イメージセンサ４５との間隔が等しい状態となっている。
【００２６】
原稿ガラス３６の直下には、第１のガラス３６ａ及び第２のガラス３６ｂに当接した原稿の文字面を読み取る密着型イメージセンサ４５が設けられている。密着型イメージセンサ４５は、第１及び第２のガラス３６ａ，３６ｂの並列方向と略平行に移動するようになっており、自らの移動方向と直交する方向に長尺形状となっている。そして、インクジェットプリンタ３のプリンタエンジン１４の前方（図５での下方）右側に設けられた駆動モータ３８によって、前記移動方向に走査されるようになっている。
【００２７】
図３乃至図５に示すように、密着型イメージセンサ４５は、図３及び図４の左右方向に延びた形状を有し、その両端部近傍に一対となって設けられた付勢部材４７を介して下方のベース部材４６に取り付けられている。ベース部材４６は、密着型イメージセンサ４５と同様に図３及び図４の左右方向に延びており、延在方向と直交する方向断面が略Ｌ字型となっている。このベース部材４６も、垂直に交わった鉛直面４６ａと水平面４６ｂとを有しており、水平面４６ｂの上側面（図示外）に付勢部材４７が取り付けられている。また、鉛直面４６ａは、図３での手前側から上方に延在しており、即ち、密着型イメージセンサ４５に対して、その駆動モータ３８側に鉛直面４６ａが存在している。
【００２８】
ベース部材４６の水平面４６ｂは、その延在方向略中央部よりも複合機１の前面側に僅かにずれた箇所に、図３及び図４の手前方向及び奥行き方向に延在した軸４０に案内される軸受け部４９を備えている。軸受け部４９は、略円筒形状を有し、その軸心部に形成された空洞部（図示外）に軸４０が挿入されることになる。ベース部材４６の水平面４６ｂと対向する位置には、付勢部材４７を介して密着型イメージセンサ４５が上下方向に移動可能に設けられている。付勢部材４７は、密着型イメージセンサ４５を上方に常に付勢しているので、密着型イメージセンサ４５は、付勢部材４７の上方への付勢力によって、常に原稿ガラス３６に対して一定の間隔を置いた状態が保たれたまま、前記軸４０の延在方向に向かって走査されるようになっている。
【００２９】
さらに、このとき、対向するガイドレール５０の鉛直面５０ａの間に密着型イメージセンサ４５が納まっており、密着型イメージセンサ４５は、ガイドレール５０によってその長さ方向両側縁が覆われた状態となっている。また、図示しないが、ガイドレール５０の表面（原稿ガラス３６に接着された側との反対側の面）は、密着型イメージセンサ４５との摩擦抵抗が少ない膜で覆われている。これにより、密着型イメージセンサ４５が、ガイドレール５０に案内されて滑らかに摺動することができる。
【００３０】
また、図４乃至図６に示すように、複合機１を正面視したときに、インクジェットプリンタ３の前面に設けられた排出部５の左側には、図示外の外部記録媒体であるスマートメディア（登録商標）、コンパクトフラッシュ（登録商標）及びメモリースティック（登録商標）が挿嵌されるコネクタを備えたメディア基板が複数設けられている。詳細には、排出部５を挟んで、密着型イメージセンサ４５の駆動モータ３８と対向する位置で、３つの媒体の内で最も幅の広いコンパクトフラッシュを挿嵌可能なコネクタ８０ａを備えたメディア基板８０が下側に、その上側にスマートメディアの挿嵌口及びメモリースティックの挿嵌口が形成されたコネクタ８１ａを備えたメディア基板８１が、それぞれ水平方向と略平行な状態で鉛直方向に並んで設けられている。
【００３１】
メディア基板８０，８１に設けられた各コネクタに、スマートメディア、コンパクトフラッシュ及びメモリースティック等の外部記憶媒体を挿嵌することにより、スキャナ３０で読み取った画像情報を前記外部記憶媒体に記憶させることができると共に、外部記憶媒体に記憶されたデータをインクジェットプリンタ３で紙等の記録媒体に記録することができる。また、複合機１では、下側に最も幅の広いコンパクトフラッシュが挿嵌され、そこから上方に向かって幅が最も狭く長さが最も長いメモリースティックが、さらにその上方にコンパクトフラッシュよりも幅が狭く、メモリースティックより幅広で、かつ厚さが最も薄いスマートメディアが挿嵌されるので、複合機１を上方から見た場合に、何が挿嵌されているのかが容易に確認できる。さらに、各メディア基板は、水平方向と略平行な状態で、鉛直方向に並んでいるので、各メディア基板に備えられたコネクタに前記外部記憶媒体を挿嵌する際、ユーザは、メディアのラベル面を見ることができるので、その表裏を間違えることなく正確な状態で挿嵌できる。従って、外部記憶媒体の抜き取り動作及び嵌挿動作を確実にかつ簡単に行うことができる。
【００３２】
さらに、図５に示すように、駆動モータ３８と主基板１１とは、複合機１を平面視したときに斜め方向に形成される対角線上に位置しており、即ち、お互いが複合機１上で実現できる最も遠い位置関係となっているので、駆動モータ３８の回転により発生するノイズの主基板１１に対する影響を最小限に抑えることができる。また、プリンタエンジン１４内において、図示外のキャリッジを移動させるためのキャリッジモータ６０と、インクジェットプリンタ３内に紙を供給搬送するための給紙モータ（紙送りモータ）６１と、密着型イメージセンサ４５を走査する駆動モータ３８とは、それぞれ離れた位置に配置されており、各モータの駆動軸の軸心がそれぞれ異なる方向を向いているので、比較的大きなスペースを必要とする各モータを装置内の限られた空間にコンパクトに収納することができる。さらに、複合機１を構成する各部材の内、比較的重量の大きいモータが離れた位置に配置されているので、複合機１の重量バランスをよくすることができ、安定した状態にすることができる。
【００３３】
以上説明したように、本実施の形態の複合機１では、スキャナ３０に設けられた第１のガラス３６ａと第２のガラス３６ｂとの間には、ガイドレール５０が渡設されており、各々のガラスが、当該ガイドレール５０によってその下面即ち密着型イメージセンサ４５に対向する面が略同一の間隔となった状態で連結されている。従って、自動給紙装置で供給された原稿の文字面を読み取る場合も、第２のガラス３６ｂ上に平坦な状態で載置された原稿の文字面を読み取る場合も、密着型イメージセンサ４５が、ガラス３６の原稿の文字面が当接する面と常に一定の間隔が保たれて、原稿の文字面を正確に読み取ることができる。また、このとき、ガイドレール５０の表面は、密着型イメージセンサ４５との摩擦抵抗が少ない膜で覆われているので、密着型イメージセンサ４５がガイドレール５０に案内されて滑らかに摺動することができ、特に、原稿の供給方法が変化した際にも、第１のガラス３６ａと第２のガラス３６ｂ間をスムーズに移動することができる。
【００３４】
また、密着型イメージセンサ４５は、その走査方向と略平行方向に延びる軸４０を受ける軸受け部４９を備えたベース部材４６に下側から上下動可能に保持されて走査可能となっている。密着型イメージセンサ４５と密着型イメージセンサ４５の直下に位置するベース部材４６との間には、密着型イメージセンサ４５を常に上方に付勢する付勢部材４７が介在しており、当該付勢部材４７の付勢力によって密着型イメージセンサ４５が上方に付勢され、ガイドレール５０の水平面５０ｂの下面に押し当てられた状態となるので、第１のガラス３６ａ及び第２のガラス３６ｂの下面に対して常に一定の間隔が保持され、各ガラス上面に当接した原稿の文字面を確実に読み取ることができる。
【００３５】
【発明の効果】
以上、詳述したとおり、請求項１に係る発明の原稿読み取り装置では、水平面と鉛直面を有し、前記第１のガラスと前記第２のガラスの側縁を当該鉛直面にて囲むことなく、前記第１のガラスと前記第２のガラスの下側面と当該水平面にて当接するガイドレールを備えており、密着型イメージセンサが、当該ガイドレールに案内されつつ駆動モータによって移動するので、原稿の供給方法が変化した際に、密着型イメージセンサを第１のガラスと第２のガラスとの間において、スムーズに移動させることができることはもとより、第１のガラスと密着型イメージセンサ間の距離及び第２のガラスと密着型イメージセンサ間の距離を常に一定に保つことができ、第２のガラスに載置された原稿又は自動搬送機構により第１のガラス面上を搬送された原稿を正確に読み取ることができる。
【００３６】
また、請求項２に係る発明の原稿読み取り装置では、請求項１に記載の発明の効果に加えて、ガイドレールは、第１及び第２のガラスに固定されているので、ガイドレールと第１及び第２のガラスとのがたつきが防止された状態で、第１のガラスと密着型イメージセンサ間の距離及び第２のガラスと密着型イメージセンサ間の距離を常に一定に保つことができるので、密着型イメージセンサをスムーズに移動させることができると共に、第２のガラスに載置された原稿又は自動搬送機構により第１のガラス面上を搬送された原稿をより正確に読み取ることができる。
【００３７】
また、請求項３に係る発明の原稿読み取り装置では、請求項１に記載の発明の効果に加えて、ガイドレールの表面は、密着型イメージセンサとの摩擦抵抗が少ない膜で覆われているので、密着型イメージセンサが、ガイドレールに案内されて駆動モータによって滑らかに移動することができる。
【００３８】
また、請求項４に係る発明の原稿読み取り装置では、請求項２又は３に記載の発明の効果に加えて、密着型イメージセンサと駆動モータとの間には、密着型イメージセンサを下方から支持するベース部材が設けられ、ベース部材と密着型イメージセンサ間に、密着型イメージセンサをガイドレールに対し上方に付勢する付勢部材が設けられていることにより、密着型イメージセンサがガラスに押しつけられる方向に付勢されるので、密着型イメージセンサをガラスに対して好適な位置に保つことができる。
【図面の簡単な説明】
【図１】  図１は、複合機１の斜視図である。
【図２】  図２は、インクジェットプリンタ３の斜視図である。
【図３】  図３は、複合機１の側面図である。
【図４】  図４は、複合機１の側面図である。
【図５】  図５は、複合機１における各構成部材の配置関係を模式的に示した平面図である。
【図６】  図６は、複合機１における各構成部材の配置関係を模式的に示した正面図である。
【符号の説明】
１    複合機
３    インクジェットプリンタ
５    排出部
３０    スキャナ
３５    フラットベッド
３６    ガラス
３６ａ    第１のガラス
３６ｂ    第２のガラス
３８    駆動モータ
４５    密着型イメージセンサ
４６    ベース部材
４７    付勢部材
【図１】
0004120250.tif 000002
【図２】
0004120250.tif 000003
【図３】
0004120250.tif 000004
【図４】
0004120250.tif 000005
【図５】
0004120250.tif 000006
【図６】
0004120250.tif 000007